(57)【要約】【課題】  ＤＣバランスをとりつつ画像の輪郭部分の残像を消去する電気泳動表示装置の駆動方法等を提供する。【解決手段】  少なくとも第１色と第２色を表示可能な画素からなる表示部を含む電気泳動表示装置の駆動方法であって、全面駆動を行い所与の領域を第２色で表示する、第１全面書き換え工程Ｓ１と、第１全面書き換え工程の後に、所与の領域の内部で部分駆動により所与の視覚表現の書き換えを行う、第１部分書き換え工程Ｓ２と、第１部分書き換え工程が所与の回数繰り返された後に、全面駆動を行い所与の領域を第１色で表示する、第２全面書き換え工程Ｓ５と、第２全面書き換え工程の後に、部分駆動により所与の視覚表現の書き換えを行う、第２部分書き換え工程Ｓ６と、を含み、第２部分書き換え工程が所与の回数繰り返された後に、再び第１全面書き換え工程に戻る。【選択図】図４
2011186147.tif 000002
【特許請求の範囲】
【請求項１】
一対の基板間に電気泳動粒子を含む電気泳動素子を狭持し、少なくとも第１色と第２色を表示可能な画素からなる表示部を含む電気泳動表示装置の駆動方法であって、
前記表示部の全ての領域で前記電気泳動素子に電圧を印加する全面駆動を行い、前記表示部のうち所与の領域を前記第２色で表示する、第１全面書き換え工程と、
前記第１全面書き換え工程の後に、前記所与の領域の内部で前記電気泳動素子に電圧を印加する部分駆動により所与の視覚表現の書き換えを行う、第１部分書き換え工程と、
前記第１部分書き換え工程が所与の回数繰り返された後に、前記全面駆動を行い、前記所与の領域を前記第１色で表示する、第２全面書き換え工程と、
前記第２全面書き換え工程の後に、前記部分駆動により前記所与の視覚表現の書き換えを行う、第２部分書き換え工程と、を含み、
前記第２部分書き換え工程が前記所与の回数繰り返された後に、再び前記第１全面書き換え工程に戻り、
前記第１部分書き換え工程は、
前記所与の視覚表現を形成する画素である視覚表現形成画素を前記第１色で表示する、第１部分書き込み工程と、
前記視覚表現形成画素を前記第２色で表示する、第１部分消去工程と、
前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、第１残像消去工程と、を含み、
前記第２部分書き換え工程は、
前記視覚表現形成画素を前記第２色で表示する、第２部分書き込み工程と、
前記視覚表現形成画素を前記第１色で表示する、第２部分消去工程と、
前記残像消去領域を前記第１色で表示する、第２残像消去工程と、を含む、電気泳動表示装置の駆動方法。
【請求項２】
請求項１に記載の電気泳動表示装置の駆動方法において、
前記第１全面書き換え工程は、
第１反転表示工程と第１正転表示工程とを含み、
前記第２全面書き換え工程は、
第２反転表示工程と第２正転表示工程とを含み、
前記第１反転表示工程は、
前記表示部の全ての画素について、前記第１正転表示工程の表示に基づいて、第１色が表示される場合には前記第２色を表示し、前記第２色が表示される場合には前記第１色を表示する反転表示を行い、
前記第１正転表示工程は、
前記第１反転表示工程の後に、前記所与の領域を前記第２色で表示し、
前記第２反転表示工程は、
前記表示部の全ての画素について、前記第２正転表示工程の表示に基づいて、前記反転表示を行い、
前記第２正転表示工程は、
前記第２反転表示工程の後に、前記所与の領域を前記第１色で表示する、電気泳動表示装置の駆動方法。
【請求項３】
請求項１乃至２のいずれかに記載の電気泳動表示装置の駆動方法において、
前記第１残像消去工程および前記第２残像消去工程では、
前記残像消去領域として前記輪郭形成画素と前記背景境界画素のみを対象とする、電気泳動表示装置の駆動方法。
【請求項４】
請求項１乃至３のいずれかに記載の電気泳動表示装置の駆動方法において、
前記第１部分書き換え工程は、
前記残像消去領域を記憶する領域記憶処理を行い、
前記第２部分書き換え工程は、
前記領域記憶処理で記憶された前記残像消去領域に基づいて行われる前記第２残像消去工程を含む、電気泳動表示装置の駆動方法。
【請求項５】
請求項１乃至４のいずれかに記載の電気泳動表示装置の駆動方法において、
前記所与の回数は複数回である、電気泳動表示装置の駆動方法。
【請求項６】
電気泳動表示装置であって、
一対の基板間に電気泳動粒子を含む電気泳動素子を狭持し、少なくとも第１色と第２色を表示可能な画素からなる表示部と、
前記表示部を制御する制御部と、を含み、
前記制御部は、
前記表示部の全ての領域で前記電気泳動素子に電圧を印加する全面駆動を行い、前記表示部のうち所与の領域を前記第２色で表示する、第１全面書き換え制御と、
前記第１全面書き換え制御の後に、前記所与の領域の内部で前記電気泳動素子に電圧を印加する部分駆動により所与の視覚表現の書き換えを行う、第１部分書き換え制御と、
前記第１部分書き換え制御が所与の回数繰り返された後に、前記全面駆動を行い、前記所与の領域を前記第１色で表示する、第２全面書き換え制御と、
前記第２全面書き換え制御の後に、前記部分駆動により前記所与の視覚表現の書き換えを行う、第２部分書き換え制御と、を行い、
前記第２部分書き換え制御が前記所与の回数繰り返された後に、再び前記第１全面書き換え制御に戻り、
前記第１部分書き換え制御において、
前記所与の視覚表現を形成する画素である視覚表現形成画素を前記第１色で表示する、第１部分書き込み制御と、
前記視覚表現形成画素を前記第２色で表示する、第１部分消去制御と、
前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、第１残像消去制御と、を行い、
前記第２部分書き換え制御において、
前記視覚表現形成画素を前記第２色で表示する、第２部分書き込み制御と、
前記視覚表現形成画素を前記第１色で表示する、第２部分消去制御と、
前記残像消去領域を前記第１色で表示する、第２残像消去制御と、を行う、電気泳動表示装置。
【請求項７】
請求項６に記載の電気泳動表示装置において、
前記制御部は、
前記第１全面書き換え制御において、
第１反転表示制御と第１正転表示制御とを行い、
前記第２全面書き換え制御において、
第２反転表示制御と第２正転表示制御とを行い、
前記第１反転表示制御において、
前記表示部の全ての画素について、前記第１正転表示制御の表示に基づいて、第１色が表示される場合には前記第２色を表示し、前記第２色が表示される場合には前記第１色を表示する反転表示を行い、
前記第１正転表示制御において、
前記第１反転表示制御の後に、前記所与の領域を前記第２色で表示し、
前記第２反転表示制御において、
前記表示部の全ての画素について、前記第２正転表示制御の表示に基づいて、前記反転表示を行い、
前記第２正転表示制御において、
前記第２反転表示制御の後に、前記所与の領域を前記第１色で表示する、電気泳動表示装置。
【請求項８】
請求項６乃至７のいずれかに記載の電気泳動表示装置において、
前記制御部は、
前記第１残像消去制御および前記第２残像消去制御において、
前記輪郭形成画素と前記背景境界画素のみからなる前記残像消去領域を用いる、電気泳動表示装置。
【請求項９】
請求項６乃至８のいずれかに記載の電気泳動表示装置において、
前記制御部は、
記憶部を含み、
前記第１部分書き換え制御において、
前記残像消去領域を前記記憶部に記憶し、
前記第２部分書き換え制御において、
前記記憶部に記憶された前記残像消去領域に基づいて前記第２残像消去制御を行う、電気泳動表示装置。
【請求項１０】
請求項６乃至９のいずれかに記載の電気泳動表示装置を含む電子機器。
【請求項１１】
請求項６乃至９のいずれかに記載の電気泳動表示装置を含む電子時計であって、
前記表示部は、
少なくとも、時桁と分桁を含む時刻表示を行い、
前記制御部は、
前記第１部分書き換え制御および前記第２部分書き換え制御において、前記時刻表示の前記分桁を前記所与の視覚表現とする、電子時計。
【請求項１２】
請求項１１に記載の電子時計であって、
前記制御部は、
前記第１全面書き換え制御と前記第２全面書き換え制御を１２時間の間隔を空けて行う、電子時計。
【発明の詳細な説明】
【技術分野】
【０００１】
本発明は、電気泳動表示装置の駆動方法、電気泳動表示装置、及び電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラストの高さ、柔軟性、反射型ディスプレイであるゆえの低消費電力などの優れた利点がある一方、電気泳動粒子を電界により移動させるために応答速度に限界がある。そのため、表示部の全体を描画する全面駆動だけでなく、書き換えを行う表示部の一部のみを描画する部分駆動が用いられることがある。電気泳動表示装置の用途や状況に応じて適宜部分駆動を行うことにより、書き換え時のレスポンスを早めることが可能となる。
【先行技術文献】
【特許文献】
【０００４】
【特許文献１】特表２００５−５３０２０１号公報
【発明の概要】
【発明が解決しようとする課題】
【０００５】
しかし、例えば書き換えを行う表示部の一部の画素（ここでは、画像とする）に対してのみ部分駆動を行った場合に、画像と背景である画素との間に斜め方向の電界が生じて、画像の輪郭に沿って残像が生じることがある。
【０００６】
さらに、特許文献１によると、電気泳動表示装置において電極間に印加される電界の時間平均がほぼゼロでなければ、すなわちＤＣバランスが崩れると、装置の動作寿命が短くなる恐れがある。つまり、電気泳動表示装置の長期信頼性を確保するためにはＤＣバランスをとって駆動制御を行うことを要する。
【０００７】
本発明はこのような問題点に鑑みてなされたものである。本発明のいくつかの態様によれば、ＤＣバランスをとりつつ画像の輪郭に沿った残像を消去する電気泳動表示装置の駆動方法、電気泳動表示装置、及び電子機器を提供することができる。
【課題を解決するための手段】
【０００８】
（１）本発明は、一対の基板間に電気泳動粒子を含む電気泳動素子を狭持し、少なくとも第１色と第２色を表示可能な画素からなる表示部を含む電気泳動表示装置の駆動方法であって、前記表示部の全ての領域で前記電気泳動素子に電圧を印加する全面駆動を行い、前記表示部のうち所与の領域を前記第２色で表示する、第１全面書き換え工程と、前記第１全面書き換え工程の後に、前記所与の領域の内部で前記電気泳動素子に電圧を印加する部分駆動により所与の視覚表現の書き換えを行う、第１部分書き換え工程と、前記第１部分書き換え工程が所与の回数繰り返された後に、前記全面駆動を行い、前記所与の領域を前記第１色で表示する、第２全面書き換え工程と、前記第２全面書き換え工程の後に、前記部分駆動により前記所与の視覚表現の書き換えを行う、第２部分書き換え工程と、を含み、前記第２部分書き換え工程が前記所与の回数繰り返された後に、再び前記第１全面書き換え工程に戻り、前記第１部分書き換え工程は、前記所与の視覚表現を形成する画素である視覚表現形成画素を前記第１色で表示する、第１部分書き込み工程と、前記視覚表現形成画素を前記第２色で表示する、第１部分消去工程と、前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、第１残像消去工程と、を含み、前記第２部分書き換え工程は、前記視覚表現形成画素を前記第２色で表示する、第２部分書き込み工程と、前記視覚表現形成画素を前記第１色で表示する、第２部分消去工程と、前記残像消去領域を前記第１色で表示する、第２残像消去工程と、を含む。
【０００９】
本発明によれば、第１部分書き換え工程の後に、対称的な表示を行う第２部分書き換え工程を行うことにより、結果的にＤＣバランスをとることができる。ＤＣバランスをとることで、長期信頼性の高い電気泳動表示装置を提供できる。第１部分書き換え工程、第２部分書き換え工程には、それぞれ所与の視覚表現の輪郭を消去する第１残像消去工程、第２残像消去工程が含まれており、残像を消去できるため視認性のよい電気泳動表示装置を提供できる。なお、所与の視覚表現とは、文字、メッセージ、画像、図形、模様、記号等のいずれか、又はこれらの組み合わせであってもよい。
【００１０】
第１色と第２色とは、ＥＰＤ等のメモリー性の表示手段が最低限表示可能な基本色である２色である。例えば、二粒子系マイクロカプセル型の電気泳動方式では、分散液は無色透明、泳動粒子は白色又は黒色のものがある。この方式の電気泳動表示部は、白色又は黒色の２色を基本色として少なくとも２色を表示可能である。このとき、第１色として泳動粒子の一の色である黒色を割り当て、第２色として白色を割り当ててもよい。逆に、第１色として白色を、第２色として黒色を割り当ててもよい。
【００１１】
対称的な表示とは、例えば、第１部分書き換え工程は白色を背景として黒色の画像を表示し、第２部分書き換え工程は黒色を背景としてその画像を白色で表示することをいう。
【００１２】
（２）この電気泳動表示装置の駆動方法において、前記第１全面書き換え工程は、第１反転表示工程と第１正転表示工程とを含み、前記第２全面書き換え工程は、第２反転表示工程と第２正転表示工程とを含み、前記第１反転表示工程は、前記表示部の全ての画素について、前記第１正転表示工程の表示に基づいて、第１色が表示される場合には前記第２色を表示し、前記第２色が表示される場合には前記第１色を表示する反転表示を行い、前記第１正転表示工程は、前記第１反転表示工程の後に、前記所与の領域を前記第２色で表示し、前記第２反転表示工程は、前記表示部の全ての画素について、前記第２正転表示工程の表示に基づいて、前記反転表示を行い、前記第２正転表示工程は、前記第２反転表示工程の後に、前記所与の領域を前記第１色で表示してもよい。
【００１３】
本発明によれば、前記第１全面書き換え工程は、第１反転表示工程と第１正転表示工程とを含み、前記第２全面書き換え工程は、第２反転表示工程と第２正転表示工程とを含む。反転表示を行う工程を含むことで、前記第１全面書き換え工程、前記第２全面書き換え工程は各工程においてＤＣバランスをとることができる。
【００１４】
（３）この電気泳動表示装置の駆動方法において、前記第１残像消去工程および前記第２残像消去工程では、前記残像消去領域として前記輪郭形成画素と前記背景境界画素のみを対象としてもよい。
【００１５】
本発明によれば、前記残像消去領域は隣接する２画素の幅を持つ最小の領域となり、消去の対象となる画素数も最小となる。その結果、第１残像消去工程および第２残像消去工程においてパルスを駆動する時間が短くなるので消費電力を抑えることができる。なお、「隣接する２画素」は、表示部における水平、垂直方向に隣接する画素に加えて、斜め方向に隣接する画素を含めてもよい。
【００１６】
（４）この電気泳動表示装置の駆動方法において、前記第１部分書き換え工程は、前記残像消去領域を記憶する領域記憶処理を行い、前記第２部分書き換え工程は、前記領域記憶処理で記憶された前記残像消去領域に基づいて行われる前記第２残像消去工程を含んでもよい。
【００１７】
本発明によれば、第１部分書き換え工程において、例えば残像消去領域が変化したり、第１部分書き換え工程の繰り返し回数が変化したりしても、領域記憶処理によって記憶された同領域の履歴に基づいて正しく第２部分書き換え工程を行うことができる。よって、様々な表示形態が可能な、ユーザーにとって利便性の高い電気泳動表示装置を提供できる。
【００１８】
（５）この電気泳動表示装置の駆動方法において、前記所与の回数は複数回であってもよい。
【００１９】
本発明によれば、更新の必要な所与の視覚表現のみを書き換える第１部分書き換え工程と第２部分書き換え工程を複数回繰り返す。相対的に表示部の全ての画素を駆動対象とする第１全面書き換え工程と第２全面書き換え工程を行う回数を減らすため、処理の効率を高めることができ、低消費電力化も図れる。
【００２０】
なお、第１部分書き換え工程と第２部分書き換え工程の繰り返し回数は原則として同じ回数であるが、第１部分書き換え工程と第２部分書き換え工程の間でＤＣバランスがとられる範囲で調整されてもよい。
【００２１】
（６）本発明は、電気泳動表示装置であって、一対の基板間に電気泳動粒子を含む電気泳動素子を狭持し、少なくとも第１色と第２色を表示可能な画素からなる表示部と、前記表示部を制御する制御部と、を含み、前記制御部は、前記表示部の全ての領域で前記電気泳動素子に電圧を印加する全面駆動を行い、前記表示部のうち所与の領域を前記第２色で表示する、第１全面書き換え制御と、前記第１全面書き換え制御の後に、前記所与の領域の内部で前記電気泳動素子に電圧を印加する部分駆動により所与の視覚表現の書き換えを行う、第１部分書き換え制御と、前記第１部分書き換え制御が所与の回数繰り返された後に、前記全面駆動を行い、前記所与の領域を前記第１色で表示する、第２全面書き換え制御と、前記第２全面書き換え制御の後に、前記部分駆動により前記所与の視覚表現の書き換えを行う、第２部分書き換え制御と、を行い、前記第２部分書き換え制御が前記所与の回数繰り返された後に、再び前記第１全面書き換え制御に戻り、前記第１部分書き換え制御において、前記所与の視覚表現を形成する画素である視覚表現形成画素を前記第１色で表示する、第１部分書き込み制御と、前記視覚表現形成画素を前記第２色で表示する、第１部分消去制御と、前記視覚表現形成画素のうち前記所与の視覚表現の輪郭を形成している輪郭形成画素と、前記輪郭形成画素と隣接する画素のうち前記視覚表現形成画素以外の画素である背景境界画素と、を含む残像消去領域を前記第２色で表示する、第１残像消去制御と、を行い、前記第２部分書き換え制御において、前記視覚表現形成画素を前記第２色で表示する、第２部分書き込み制御と、前記視覚表現形成画素を前記第１色で表示する、第２部分消去制御と、前記残像消去領域を前記第１色で表示する、第２残像消去制御と、を行う。
【００２２】
本発明によれば、第１部分書き換え制御の後に、対称的な表示を行う第２部分書き換え制御を行うことにより、結果的にＤＣバランスをとることができる。ＤＣバランスをとることで、長期信頼性の高い電気泳動表示装置を提供できる。第１部分書き換え制御、第２部分書き換え制御には、それぞれ所与の視覚表現の輪郭を消去する第１残像消去制御、第２残像消去制御が含まれており、残像を消去できるため視認性のよい電気泳動表示装置を提供できる。
【００２３】
（７）この電気泳動表示装置において、前記制御部は、前記第１全面書き換え制御において、第１反転表示制御と第１正転表示制御とを行い、前記第２全面書き換え制御において、第２反転表示制御と第２正転表示制御とを行い、前記第１反転表示制御において、前記表示部の全ての画素について、前記第１正転表示制御の表示に基づいて、第１色が表示される場合には前記第２色を表示し、前記第２色が表示される場合には前記第１色を表示する反転表示を行い、前記第１正転表示制御において、前記第１反転表示制御の後に、前記所与の領域を前記第２色で表示し、前記第２反転表示制御において、前記表示部の全ての画素について、前記第２正転表示制御の表示に基づいて、前記反転表示を行い、前記第２正転表示制御において、前記第２反転表示制御の後に、前記所与の領域を前記第１色で表示してもよい。
【００２４】
本発明によれば、前記第１全面書き換え制御は、第１反転表示制御と第１正転表示制御とを含み、前記第２全面書き換え制御は、第２反転表示制御と第２正転表示制御とを含む。反転表示を行う制御を含むことで、前記第１全面書き換え制御、前記第２全面書き換え制御は各制御においてＤＣバランスをとることができる。
【００２５】
（８）この電気泳動表示装置において、前記制御部は、前記第１残像消去制御および前記第２残像消去制御において、前記輪郭形成画素と前記背景境界画素のみからなる前記残像消去領域を用いてもよい。
【００２６】
本発明によれば、前記残像消去領域は隣接する２画素の幅を持つ最小の領域となり、消去の対象となる画素数も最小となる。その結果、第１残像消去制御および第２残像消去制御においてパルスを駆動する時間が短くなるので消費電力を抑えることができる。
【００２７】
（９）この電気泳動表示装置において、前記制御部は、記憶部を含み、前記第１部分書き換え制御において、前記残像消去領域を前記記憶部に記憶し、前記第２部分書き換え制御において、前記記憶部に記憶された前記残像消去領域に基づいて前記第２残像消去制御を行ってもよい。
【００２８】
本発明によれば、第１部分書き換え制御において、例えば残像消去領域が変化したり、第１部分書き換え制御の繰り返し回数が変化したりしても、記憶部に記憶された同領域の履歴に基づいて正しく第２部分書き換え制御を行うことができる。よって、様々な表示形態が可能な、ユーザーにとって利便性の高い電気泳動表示装置を提供できる。
【００２９】
（１０）本発明は、前記電気泳動表示装置を含む電子機器であってもよい。
【００３０】
本発明によれば、ＤＣバランスをとりつつ画像の輪郭に沿った残像を消去する電気泳動表示装置を含む電子機器を提供できる。このとき、残像がないために電気泳動表示装置の視認性が向上し、ＤＣバランスがとられているために電気泳動表示装置の長期信頼性を得ることができる。
【００３１】
（１１）本発明は、前記電気泳動表示装置を含む電子時計であって、前記表示部は、少なくとも、時桁と分桁を含む時刻表示を行い、前記制御部は、前記第１部分書き換え制御および前記第２部分書き換え制御において、前記時刻表示の前記分桁を前記所与の視覚表現としてもよい。
【００３２】
本発明によれば、制御部は、表示が１分おきに変化する電子時計の分桁表示を対象として第１部分書き換え制御および第２部分書き換え制御を行う。よって、残像がなく視認性のよい時刻表示を行う電子時計を提供することができる。
【００３３】
（１２）この電子時計において、前記制御部は、前記第１全面書き換え制御と前記第２全面書き換え制御を１２時間の間隔を空けて行ってもよい。
【００３４】
本発明によれば、制御部は、１日のうち最初の１２時間で第１全面書き換え制御と第１部分書き込み制御を行う。そして、制御部は、１日の残りの１２時間で第２全面書き換え制御と第２部分書き込み制御を行う。１日のちょうど半分で表示態様が切り替わるので、ＤＣバランスをとりつつも、電子時計としてユーザーに対して違和感を与えない表示を行うことができる。
【図面の簡単な説明】
【００３５】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】第１実施形態における電気泳動表示装置の駆動方法のフローチャート。
【図５】図５（Ａ）〜図５（Ｄ）は図４のサブルーチンのフローチャート。
【図６】第１実施形態における第１部分書き換え時の波形図。
【図７】図７（Ａ）〜図７（Ｄ）は、第１実施形態における第１部分書き換え時の表示例を示す図、およびＹ−Ｙ線に沿って切断された断面図。
【図８】図８（Ａ）〜図８（Ｃ）は、第１実施形態における残像消去領域を示す図。
【図９】図９（Ａ）〜図９（Ｆ）は、全面書き換え時の表示例を示す図、およびＹ−Ｙ線に沿って切断された断面図。
【図１０】第１実施形態における第２部分書き換え時の波形図。
【図１１】図１１（Ａ）〜図１１（Ｄ）は、第１実施形態における第２部分書き換え時の表示例を示す図、およびＹ−Ｙ線に沿って切断された断面図。
【図１２】図１２（Ａ）は電子機器の一例である腕時計の図、図１２（Ｂ）は電子機器の一例である電子ペーパーの図。
【図１３】図１３（Ａ）〜図１３（Ｐ）は、第２実施形態における電子時計の表示例を示す図。
【発明を実施するための形態】
【００３６】
以下、本発明の実施形態について図面を参照して説明する。なお、第２実施形態以降の説明において、第１実施形態と同様の構成については、同一符号を付し、説明を省略する。
【００３７】
１．第１実施形態
本発明の第１実施形態について図１〜図１１を参照して説明する。
【００３８】
１．１．電気泳動表示装置
１．１．１．電気泳動表示装置の構成
図１は、本実施形態に係るアクティブマトリックス駆動方式の電気泳動表示装置１００のブロック図である。
【００３９】
電気泳動表示装置１００は、複数の画素４０が配列された表示部５を含む。制御部６は表示部５を制御する。制御部６は、走査線駆動回路６１、データ線駆動回路６２、コントローラー６３、共通電源変調回路６４を含む。
【００４０】
走査線駆動回路６１、データ線駆動回路６２，共通電源変調回路６４は、それぞれコントローラー６３と接続されている。コントローラー６３は図外から供給される画像信号や同期信号に基づいて、これらを総合的に制御する。なお、コントローラー６３は、記憶部１６０を含んでいてもよい。記憶部１６０は、ＳＲＡＭ、ＤＲＡＭ、その他のメモリーであってもよく、表示部５に表示させる画像情報を記憶していてもよい。また、記憶部１６０は、第１残像消去工程Ｓ２４（図５（Ｂ）参照）において消去された残像消去領域の表示部５における位置情報や第１部分書き換え工程Ｓ２（図４参照）が繰り返された回数の情報等を記憶していてもよい。記憶された情報は例えばコントローラー６３によって読みだされ、その情報に基づいて第２残像消去工程Ｓ６４（図５（Ｄ）参照）等が行われてもよい。
【００４１】
表示部５には、走査線駆動回路６１から延びる複数の走査線６６と、データ線駆動回路６２から延びる複数のデータ線６８とが形成されており、これらの交差位置に対応して画素４０が設けられている。
【００４２】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４１（図２参照）のオンタイミングを規定する選択信号を供給する。
【００４３】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００４４】
表示部５には、また、共通電源変調回路６４から延びる低電位電源線４９（Ｖｓｓ）、高電位電源線５０（Ｖｄｄ）、共通電極配線５５（Ｖｃｏｍ）、第１の制御線９１（Ｓ１）、第２の制御線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００４５】
１．１．２．画素部分の回路構成
図２は、図１の画素４０の回路構成図である。
【００４６】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。なお、図１と同じ配線には同じ番号を付しており、説明は省略する。また、全画素に共通の共通電極配線５５については記載を省略している。
【００４７】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４８】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４９】
ラッチ回路７０に画像データ「１」（ハイレベルの画像信号）が記憶されて、トランスミッションゲートＴＧ１がオン状態となると、スイッチ回路８０はＶａとして電位Ｓ１を供給する。一方、ラッチ回路７０に画像データ「０」（ローレベルの画像信号）が記憶されて、トランスミッションゲートＴＧ２がオン状態となると、スイッチ回路８０はＶａとして電位Ｓ２を供給する。このような回路構成により、制御部６はそれぞれの画素４０の画素電極に対して供給する電位（信号）を制御することが可能である。なお、画素４０の回路構成は一例であり、図２に示すものに限られない。
【００５０】
１．１．３．表示方式
本実施形態の電気泳動表示装置１００は、二粒子系マイクロカプセル型の電気泳動方式であるとする。分散液は無色透明、泳動粒子は白色又は黒色のものであるとすると、白色又は黒色の２色を基本色として少なくとも２色を表示可能である。前記の通り、この基本色のうち第１色は黒であり、第２色は白である。
【００５１】
図３（Ａ）は、本実施形態の電気泳動素子３２の構成を示す図である。電気泳動素子３２は素子基板３０と対向基板３１（図３（Ｂ）、図３（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００５２】
図３（Ｂ）は、電気泳動表示装置１００の表示部５の部分断面図である。素子基板３０と対向基板３１は、マイクロカプセル２０を配列してなる電気泳動素子３２を狭持している。素子基板３０の電気泳動素子３２側には、複数の画素電極３５が形成されており、画素４０ごとに電位を供給することが可能である（Ｖａ、Ｖｂ）。
【００５３】
一方、対向基板３１は透明基板であり、表示部５において対向基板３１側に画像表示がなされる。対向基板３１の電気泳動素子３２側には、平面形状の共通電極３７が形成されている。なお、共通電極３７は透明電極である。共通電極３７は、画素電極３５と異なり全画素に共通の電極であり、電位Ｖｃｏｍが供給される。
【００５４】
図３（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５側に引き寄せられるため、画素４０Ａは白を表示していると視認される。なお、画素４０のうち、画素電極３５において電位Ｖａが供給される画素を画素４０Ａとし、電位Ｖｂが供給される画素を画素４０Ｂと表現する。
【００５５】
図３（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５側に引き寄せられるため、画素４０Ａは黒を表示していると視認される。なお、図３（Ｃ）の構成は図３（Ｂ）と同様である。
【００５６】
１．２．電気泳動表示装置の駆動方法
１．２．１．輪郭部分の残像
電気泳動表示装置の駆動方法として、表示部の全体を描画する全面駆動だけでなく、書き換えを行う表示部の一部のみを描画する部分駆動が用いられることがある。電圧を印加する対象の画素数を減らすことで、書き換え時のレスポンスを早めることができる。
【００５７】
しかし、部分駆動を行った場合に、駆動されない画素（背景）との境界部分で斜め方向に電界が生じる。部分駆動によって表示された文字、図形等を消去した場合に、斜め方向に生じた電界の影響によって、その文字、図形等の輪郭部分が残像として視認されることがある（図７（Ｂ）参照）。よって、部分駆動によって部分的な書き換えを行う場合（部分書き換え）には、輪郭部分の残像を消去する操作（残像消去）が必要である。
【００５８】
なお、全面駆動を行った場合には、全ての画素が駆動対象であり、斜め方向には電界が生じにくい。よって、全面駆動の場合には残像消去は不要である（図９（Ａ）、図９（Ｂ）参照）。
【００５９】
１．２．２．ＤＣバランス
残像消去は、文字、図形等自体の表示、消去とは別の補助的な操作である。また、残像消去において電界が印加される時間は、文字、図形等自体の表示、消去と比べると短時間である。そのため、従来、残像消去についてＤＣバランスが考慮されることはなかった。
【００６０】
しかし、残像消去の対象となる画素の電極間については、残像消去によって一定の方向に電界が印加されることになる。そして、残像消去は文字、図形等自体の表示に伴って繰り返されるため、使用され続けると印加電界の非対称性が大きくなる。よって、電気泳動表示装置の長期信頼性を確保するために、残像消去も含めてＤＣバランスをとる必要がある。
【００６１】
そこで、以下に残像消去も含めてＤＣバランスをとることが可能な電気泳動表示装置の駆動方法を説明する。
【００６２】
１．２．３．メインルーチンのフローチャート
図４は、第１実施形態における電気泳動表示装置の駆動方法のフローチャートである。
【００６３】
１．２．３．１．第１全面書き換え工程
本実施形態にかかる電気泳動表示装置の駆動方法は、最初に第１全面書き換え工程Ｓ１を行う。第１全面書き換え工程Ｓ１では、表示部の全体を描画する全面駆動が行われる。そして、第１全面書き換え工程Ｓ１は、表示部の所与の領域の全てを、第１部分書き換え工程Ｓ２が必要とする背景色で表示する。
【００６４】
ここで、表示部における所与の領域とは、第１部分書き換え工程Ｓ２および第２部分書き換え工程Ｓ６において、部分駆動によって所与の視覚表現の書き換えが行われ得る領域をいう。所与の視覚表現とは、文字、メッセージ、画像、図形、模様、記号等のいずれか、又はこれらの組み合わせである。
【００６５】
例えば、Ａ〜Ｚの文字が６画素×６画素の領域に部分駆動で書き換えられて、表示部のそれ以外の領域は全面駆動によってのみ書き換えられるとする。このとき、前記の所与の領域とは６画素×６画素の領域であり、所与の視覚表現とはＡ〜Ｚの文字である。第１全面書き換え工程Ｓ１では、表示部の全体を描画して、この６画素×６画素の領域の全てを例えば白色（第２色）で表示する。同領域を白色の背景色で表示しておくことは、続く第１部分書き換え工程Ｓ２で部分駆動を行うのに必要である。
【００６６】
１．２．３．２．第１部分書き換え工程
第１部分書き換え工程Ｓ２は、前記の所与の領域内で、部分駆動によって所与の視覚表現の書き換えを行う。第１部分書き換え工程Ｓ２は、前記の残像消去が行われる第１残像消去工程Ｓ２４（図５（Ｂ）参照）を含む。そして、この残像消去において生じるＤＣバランスの不均衡（印加電界の非対称性）を解消するために、後に第２部分書き換え工程Ｓ６が行われる必要がある。
【００６７】
先の例では、第１部分書き換え工程Ｓ２は、６画素×６画素の領域内で部分駆動によってＡ〜Ｚの文字を黒色で表示したり、それらの文字を消去したりする。そして、Ａ〜Ｚの文字の輪郭に沿った残像も白色を用いて消去する。
【００６８】
第１部分書き換え工程Ｓ２は、所与の回数繰り返されてもよい（Ｓ３）。先の例では、Ａ〜Ｚが順に一度づつ表示されるとすると、第１部分書き換え工程Ｓ２は２６回繰り返される。
【００６９】
１．２．３．３．第２全面書き換え工程
第２全面書き換え工程Ｓ５でも、表示部の全体を描画する全面駆動が行われる。そして、第２全面書き換え工程Ｓ５は、表示部の所与の領域の全てを、第２部分書き換え工程Ｓ６が必要とする背景色で表示する。
【００７０】
先の例では、第２全面書き換え工程Ｓ５は、表示部の全体を描画して、６画素×６画素の領域（所与の領域）の全てを黒色（第１色）で表示する。同領域を黒色の背景色で表示しておくことは、続く第２部分書き換え工程Ｓ６で部分駆動を行うのに必要である。第２全面書き換え工程Ｓ５は、続く第２部分書き換え工程Ｓ６の準備としての意味を持つ。
【００７１】
１．２．３．４．第２部分書き換え工程
第２部分書き換え工程Ｓ６は、第１部分書き換え工程Ｓ２と同様に、前記の所与の領域内で、部分駆動によって所与の視覚表現の書き換えを行う。第２部分書き換え工程Ｓ６は、第１残像消去工程Ｓ２４（図５（Ｂ）参照）とは逆の表示を行う第２残像消去工程Ｓ６４（図５（Ｄ）参照）を含む。このことにより、第１部分書き換え工程Ｓ２で生じたＤＣバランスの不均衡が解消される。
【００７２】
例えば、第１色として黒を、第２色として白を表示可能な電気泳動表示装置において、第１部分書き換え工程Ｓ２は、輪郭部分を含む領域（残像消去領域）を白で表示する操作を含むとする。このとき、第２部分書き換え工程Ｓ６は、残像表示領域を黒で表示する操作を含む。なお、白を表示する場合と黒を表示する場合とでは、印加する電界の方向は正反対であり、電界が印加される時間は同じであるとする。
【００７３】
先の具体例では、第２部分書き換え工程Ｓ６は、６画素×６画素の領域内で部分駆動によってＡ〜Ｚの文字を白色で表示したり、それらの文字を消去したりする。そして、Ａ〜Ｚの文字の輪郭に沿った残像を、第１部分書き換え工程Ｓ２と対称的に黒色を用いて消去する。
【００７４】
第２部分書き換え工程Ｓ６は、所与の回数繰り返されてもよい（Ｓ７）。先の例では、Ａ〜Ｚが順に一度づつ表示されるとすると、第２部分書き換え工程Ｓ６は２６回繰り返される。なお、本実施形態において、この繰り返し回数は第１部分書き換え工程Ｓ２の繰り返し回数（Ｓ３）と同じである。もし、第１部分書き換え工程Ｓ２がＡ〜Ｃを表示するために３回繰り返されたとすると、第２部分書き換え工程Ｓ６も３回繰り返されてＡ〜Ｃを表示する。
【００７５】
第２部分書き換え工程Ｓ６の後に、電気泳動表示装置の表示の終了命令の有無が判断されてもよい（Ｓ８）。表示を継続する場合には再びＳ１に戻り（Ｓ８Ｎ）、表示を終了する場合にはフローチャートの制御も終了する（Ｓ８Ｙ）。例えば、電子時計に用いられる電気泳動表示装置などでは表示が終了することはなく、再びＳ１〜Ｓ７の工程が繰り返される。
【００７６】
１．２．４．サブルーチンのフローチャート
１．２．４．１．全面書き換え工程について
図５（Ａ）、図５（Ｃ）はそれぞれ第１全面書き換え工程Ｓ１、第２全面書き換え工程Ｓ５のサブルーチンを示すフローチャートである。
【００７７】
第１全面書き換え工程Ｓ１と第２全面書き換え工程Ｓ５では、表示部の全体を描画する全面駆動が行われる。そして、前記の表示部の所与の領域では、第１全面書き換え工程Ｓ１と第２全面書き換え工程Ｓ５とでは対称的な表示を行っている。先の例では、６画素×６画素の領域の全てを、第１全面書き換え工程Ｓ１では白色（第２色）で表示し、第２全面書き換え工程Ｓ５では黒色（第１色）で表示する。もし、第１全面書き換え工程Ｓ１と第２全面書き換え工程Ｓ５の２つの処理の間でＤＣバランスがとれれば、これらの工程にサブルーチンは不要である。
【００７８】
しかし、第１全面書き換え工程Ｓ１と第２全面書き換え工程Ｓ５の２つの処理の間ではＤＣバランスがとれない場合がある。例えば、図１３（Ｂ）は第１全面書き換え工程Ｓ１の処理後における表示部５の例であり、図１３（Ｊ）は第２全面書き換え工程Ｓ５の処理後における表示部５の例である。背景は互いに反転した表示になっているが、分桁の十の位の表示が異なるため、これらの工程の処理の間でＤＣバランスがとれるわけではない。このような場合には、図５（Ａ）、図５（Ｃ）に示すサブルーチンが必要になる。
【００７９】
１．２．４．２．第１全面書き換え工程のサブルーチン
図５（Ａ）は、第１全面書き換え工程Ｓ１のサブルーチンを示すフローチャートである。本実施形態では、第１全面書き換え工程Ｓ１は第１反転表示工程Ｓ１０、第１正転表示工程Ｓ１２を含む。
【００８０】
第１全面書き換え工程Ｓ１は、第１正転表示工程Ｓ１２によって、表示部の所与の領域の全てを、続く第１部分書き換え工程Ｓ２が必要とする背景色で表示する（図９（Ｂ）参照）。この表示とＤＣバランスをとるために、第１正転表示工程Ｓ１２よりも前に、表示部の全体において反転表示を行う第１反転表示工程Ｓ１０がおこなわれる（図９（Ａ）参照）。この２つの表示工程Ｓ１０とＳ１２によって、第１全面書き換え工程Ｓ１においてＤＣバランスがとられる。また、第１部分書き換え工程Ｓ２が、前記の所与の領域内で、部分駆動によって所与の視覚表現の書き換えを行う準備が整う。
【００８１】
１．２．４．３．第１部分書き換え工程のサブルーチン
図５（Ｂ）は、第１部分書き換え工程Ｓ２のサブルーチンを示すフローチャートである。本実施形態では、第１部分書き換え工程Ｓ２は、第１部分書き込み工程Ｓ２０、第１部分消去工程Ｓ２２、第１残像消去工程Ｓ２４を含む。
【００８２】
第１部分書き込み工程Ｓ２０は、表示部の所与の領域に所与の視覚表現を表示する。再び先の例を用いると、第１部分書き込み工程Ｓ２０では、６画素×６画素の領域（所与の領域）の全てが白色（背景色）であるときに、部分駆動により黒色で例えばＡの文字（所与の視覚表現）を表示する。
【００８３】
第１部分消去工程Ｓ２２は、第１部分書き込み工程Ｓ２０で書き込まれた所与の視覚表現を消去する。先の例では、第１部分消去工程Ｓ２２は部分駆動により白色でＡの文字を表示することで消去を行う。なお、第１部分消去工程Ｓ２２は反対の色で同一の表示を行うことで、第１部分書き込み工程Ｓ２０との間でＤＣバランスをとっている。
【００８４】
第１残像消去工程Ｓ２４は、所与の視覚表現の輪郭を含む領域（残像消去領域）を消去する。第１残像消去工程Ｓ２４では、例えば、部分駆動によりＡの文字（所与の視覚表現）の輪郭を含む残像消去領域を白色で表示することで消去を行う。後述のように、残像消去領域は、少なくとも第１部分書き込み工程Ｓ２０でＡの文字の輪郭を黒色で表示する画素である輪郭形成画素と、輪郭形成画素と隣接する白色の画素である背景境界画素とを含む領域である（図８（Ａ）Ｒ２参照）。このとき、第１残像消去工程Ｓ２４ではＤＣバランスの不均衡が生じる。
【００８５】
１．２．４．４．第２全面書き換え工程のサブルーチン
図５（Ｃ）は、第２全面書き換え工程Ｓ５のサブルーチンを示すフローチャートである。本実施形態では、第２全面書き換え工程Ｓ５は第２反転表示工程Ｓ５０、第２正転表示工程Ｓ５２を含む。
【００８６】
第２反転表示工程Ｓ５０、第２正転表示工程Ｓ５２は、それぞれ前記の第１反転表示工程Ｓ１０、第１正転表示工程Ｓ１２に対応し、説明は省略する。この２つの表示工程Ｓ５０とＳ５２によって、第２全面書き換え工程Ｓ５においてＤＣバランスがとられる。また、第２部分書き換え工程Ｓ６が所与の視覚表現の書き換えを行う準備が整う。
【００８７】
１．２．４．５．第２部分書き換え工程のサブルーチン
図５（Ｄ）は、第２部分書き換え工程Ｓ６のサブルーチンを示すフローチャートである。本実施形態では、第２部分書き換え工程Ｓ６は、第２部分書き込み工程Ｓ６０、第２部分消去工程Ｓ６２、第２残像消去工程Ｓ６４を含む。
【００８８】
第２部分書き込み工程Ｓ６０は、第１部分書き込み工程Ｓ２０に対応し、表示部の所与の領域に所与の視覚表現を表示する。再び先の例を用いると、第２部分書き込み工程Ｓ６０では、６画素×６画素の領域（所与の領域）の全てが黒色（背景色）であるときに、部分駆動により白色で例えばＡの文字（所与の視覚表現）を表示する。ここで、所与の視覚表現は、第１部分書き込み工程Ｓ２０で表示されたものと同一である。
【００８９】
第２部分消去工程Ｓ６２は、第１部分消去工程Ｓ２２に対応し、第２部分書き込み工程Ｓ６０で書き込まれた所与の視覚表現を消去する。先の例では、第２部分消去工程Ｓ６２は部分駆動により黒色でＡの文字を表示することで消去を行う。なお、第２部分消去工程Ｓ６２は第２部分書き込み工程Ｓ６０との間でＤＣバランスをとっている。
【００９０】
第２残像消去工程Ｓ６４は、所与の視覚表現の輪郭を含む領域（残像消去領域）を消去する。第２残像消去工程Ｓ６４では、第１残像消去工程Ｓ２４と同じ残像消去領域を黒色で表示することで消去を行い、第１残像消去工程Ｓ２４で生じたＤＣバランスの不均衡を解消することができる。
【００９１】
図４、図５（Ａ）〜図５（Ｄ）のフローチャートで示される電気泳動表示装置の駆動方法に従うことにより、ＤＣバランスをとりつつ画像の輪郭に沿った残像を消去する電気泳動表示装置の駆動方法が可能となる。例えば、電気泳動表示装置において一定の周期で視覚表現が繰り返し表示される場合に、第１全面書き換え工程Ｓ１および第１部分書き換え工程Ｓ２と、第２全面書き換え工程Ｓ５および第２部分書き換え工程Ｓ６とを交互に割り当てることで、視認性がよく長期信頼性の高い電気泳動表示装置を提供できる。
【００９２】
次に、この駆動方法を実現する電気泳動表示装置の実施例を示す。以下の説明および図で用いる工程番号（Ｓ１〜Ｓ６４）は図４、図５（Ａ）〜図５（Ｄ）のフローチャートの工程番号に対応する。
【００９３】
なお、本実施形態では、電気泳動表示装置が表示可能な第１色は黒であるとして、第２色は白であるとして説明する。そして、黒（第１色）を表示している画素を白（第２色）で表示すること、又は白を表示している画素を黒で表示することを反転と表現する。
【００９４】
１．３．フローチャートと電気泳動表示装置における表示の対応
１．３．１．第１全面書き換え工程
前記の構成の電気泳動表示装置１００によって、第１全面書き換え工程Ｓ１が実施される場合の表示部５の表示例などを、図９（Ａ）〜図９（Ｄ）を用いて説明する。図９（Ａ）〜図９（Ｄ）を含めて以下の説明で引用される図においては、表示部５のうち斜線で示された画素は、その画素が黒色で表示されていることを示す。
【００９５】
まず、第１全面書き換え工程Ｓ１では、全ての画素が駆動対象である全面駆動が行われ、斜め方向には電界が生じにくく、輪郭部分の残像（図７（Ｂ）参照）の問題もない。
【００９６】
また、全面駆動を行う工程では、図９（Ａ）のような反転表示をした後に、図９（Ｂ）のように正転表示をすることでＤＣバランスをとることができる。本実施形態においては、第１全面書き換え工程Ｓ１において、第１反転表示工程Ｓ１０が行われることによりＤＣバランスは保たれている。
【００９７】
ここで、第１全面書き換え工程Ｓ１のサブルーチンＳ１０、Ｓ１２における表示部５の表示例を図９（Ｃ）〜図９（Ｄ）に示す。図９（Ｃ）〜図９（Ｄ）では表示部５のうち部分駆動が行われ得る６画素×６画素の領域を抜き出して表示している。また、図９（Ｃ）〜図９（Ｄ）の右図は、それぞれ左図のＹ−Ｙ線に沿った断面図である。
【００９８】
図９（Ｃ）は、第１反転表示工程Ｓ１０の表示例である。そして、図９（Ｄ）は、第１正転表示工程Ｓ１２の表示例である。領域内の全ての画素には、続いて行われる第１部分書き込み工程Ｓ２０の背景色である白色が表示されている。
【００９９】
１．３．２．第１部分書き換え工程
前記の構成の電気泳動表示装置１００によって、第１部分書き換え工程Ｓ２が実施される場合の表示部５の表示例などを以下に説明する。
【０１００】
図６は、本実施形態における第１部分書き換え時の波形図を示す。Ｓ１、Ｓ２は共通電源変調回路６４からの信号である（図１、図２参照）。Ｖａ、Ｖｂはそれぞれ画素４０Ａ、画素４０Ｂの画素電極３５に供給される信号である。なお、画素４０Ａと画素４０Ｂは隣接しているものとする（図３（Ｂ）、図３（Ｃ）参照）。画素４０Ａと画素４０Ｂの回路構成も図２と同じであり、それぞれのラッチ回路に保持された画像データに応じて、Ｖａ、ＶｂとしてＳ１またはＳ２を出力する。Ｖｃｏｍは共通電源変調回路６４から共通電極３７に供給される信号である。それぞれの信号Ｖａ、Ｖｂ、Ｖｃｏｍは、ハイレベル（ＶＨ）、ローレベル（ＶＬ）、またはハイインピーダンス状態（Ｈｉ−Ｚ）をとり得るものとする。
【０１０１】
なお、図４の通り、第１部分書き換え工程Ｓ２は所定の回数まで繰り返し行われる（Ｓ３）。よって、図６の対応工程の「Ｓ２（ループ１回目）」は、第１部分書き換え工程Ｓ２が最初に行われていることを、「Ｓ２（ループ２回目）」は第１部分書き換え工程Ｓ２が２回目の繰り返しで行われていることを意味する。
【０１０２】
図６の対応工程がＳ２０（Ｓ２ループ１回目）と示された区間は、第１部分書き込み工程Ｓ２０を行っている。Ｖａの電位はＶＨであるため、ＶｃｏｍがＶＬのときに画素４０Ａを構成する電気泳動素子３２において、正に帯電した黒色粒子２６が共通電極３７側に引き寄せられる。そして、画素４０Ａは黒色で表示される。一方、同じ区間において、Ｖｂはハイインピーダンス状態であり、画素４０Ｂは背景色である白色の表示を保つ。なお、図６の対応工程がＳ２０（Ｓ２ループ２回目）と示された区間の動作も同様である。
【０１０３】
図６の対応工程がＳ２２と示された区間は、第１部分消去工程Ｓ２２を行っている。Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは白色で表示される。一方、同じ区間において、Ｖｂはハイインピーダンス状態であり、画素４０Ｂ背景色である白色の表示を保つ。
【０１０４】
このとき、画素４０Ａを含めて、第１部分書き込み工程Ｓ２０において黒色で表示された画素は、第１部分消去工程Ｓ２２において白色で表示される。すなわち、第１部分消去工程Ｓ２２によって、その前に行われた第１部分書き込み工程Ｓ２０とＤＣバランスをとることができる（ｂａｌａｎｃｅｄ）。なお、図６の例ではＳ２２の工程の方が、Ｓ２０の工程よりも長い時間行われているが、Ｓ２２の工程におけるＶｃｏｍの各パルス幅はＳ２０の工程よりも短い。そのため、Ｓ２０とＳ２２において通算で電極間に印加される電界の時間平均はゼロとなりＤＣバランスがとられる。
【０１０５】
図６の対応工程がＳ２４と示された区間は、第１残像消去工程Ｓ２４を行っている。Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは白色で表示される。また、Ｖｂの電位もＶＬであるため、隣接する画素４０Ｂについても白色での表示が行われる。第１残像消去工程Ｓ２４については、ＤＣバランスが不均衡となっている（ｕｎｂａｌａｎｃｅｄ）。
【０１０６】
図７（Ａ）〜図７（Ｄ）は、図６の各工程に対応する表示部５の表示例（左図）と断面図（右図）を示すものである。なお、図７（Ａ）〜図７（Ｄ）では表示部５のうち部分駆動が行われ得る６画素×６画素の領域を抜き出して表示している。また、図７（Ａ）〜図７（Ｄ）の右図は、それぞれ左図のＹ−Ｙ線に沿った断面図であり、画素４０Ａ、４０Ｂを含む。
【０１０７】
図７（Ａ）は、図６の第１部分書き込み工程Ｓ２０（Ｓ２ループ１回目）に対応する。表示部５には画像Ｐ１が書き込まれ、画素４０Ａはその輪郭を形成する画素（輪郭形成画素）の１つである。なお、画像Ｐ１を形成する黒色の１６画素（４画素×４画素）が視覚表現形成画素である。輪郭形成画素は、視覚表現形成画素の一部である。また、画素４０Ｂは画像Ｐ１の背景を形成し、輪郭形成画素と隣接する画素（背景境界画素）の１つである。画素電極３５Ａ（Ｖａ）の電位はＶＨであり、画素４０Ａは黒色で表示される。一方、画素電極３５Ｂ（Ｖｂ）はハイインピーダンス状態であり、画素４０Ｂは背景色である白色の表示を保つ。
【０１０８】
ここで、図８（Ｃ）は、この例における輪郭形成画素Ｒ３と背景境界画素Ｒ４を示したものである。輪郭形成画素Ｒ３は、画像Ｐ１の輪郭を形成する黒色の１２画素である。そのうちの１つが画素４０Ａである。背景境界画素Ｒ４は、輪郭形成画素Ｒ３と隣接する白色の２０画素である。そのうち１つが画素４０Ｂである。なお、背景境界画素は輪郭形成画素と隣接しているが、隣接には水平、垂直方向のみならず、斜め方向も含まれてもよい。例えば、画素４０Ｂのみならず、画素４０Ｖ、画素４０Ｗ、画素４０Ｘ、画素４０Ｙは背景境界画素に含まれてもよい。
【０１０９】
図７（Ｂ）は、図６の第１部分消去工程Ｓ２２（Ｓ２ループ１回目）に対応する。第１部分書き込み工程Ｓ２０で書き込まれた画像Ｐ１を形成する画素は白色で表示される。画素電極３５Ａ（Ｖａ）の電位はＶＬであり、画素４０Ａは白色となる。このとき、輪郭形成画素とそれに隣接するハイインピーダンス状態（Ｈｉ−Ｚ）の背景境界画素との間で斜め方向の電界が生じ、画像Ｐ１の輪郭に沿った残像Ｐ２が発生する。この例では、白色を背景として、輪郭に沿って薄い黒色の残像Ｐ２が視認される。そのため、次の第１残像消去工程Ｓ２４が必要になる。
【０１１０】
図７（Ｃ）は、図６の第１残像消去工程Ｓ２４（Ｓ２ループ１回目）に対応する。輪郭の残像Ｐ２を消去するために、残像消去領域を背景色と同じ白色で表示している。ここで、残像消去領域とは少なくとも輪郭形成画素と背景境界画素とを含む領域をいう。
【０１１１】
ここで、図８（Ａ）は、この例における残像消去領域を図示したものである。図中のＲ２が輪郭形成画素Ｒ３と背景境界画素Ｒ４からなる最小の残像消去領域となる。
【０１１２】
再び図７（Ｃ）に戻る。図８（Ａ）で示された残像消去領域Ｒ２を白色で表示することで残像Ｐ２は消去される。第１残像消去工程Ｓ２４では、画素４０Ａ、画素４０Ｂの画素電極３５Ａ（Ｖａ）、３５Ｂ（Ｖｂ）の電位はＶＬであり、負に帯電した白色粒子２７が共通電極３７側に引き寄せられる方向の電界が印加されている。ＤＣバランスをとるためには、逆方向の電界を印加する操作、すなわち、図８（Ｂ）で示すように残像消去領域Ｒ２を黒色で表示する操作を行う必要がある。
【０１１３】
なお、残像消去領域は、図８（Ａ）のＲ２に限らずより幅の広い（３画素分以上の）領域であってもよい。つまり、背景側又は画像側に幅を広げて、残像Ｐ２をより確実に消去できるようにしてもよい。しかし、残像消去領域の幅が小さい程、部分駆動の対象となる画素数が少なくなり消費電力を抑えることができる。よって、低消費電力の観点からは、輪郭形成画素と背景境界画素からなる最小の残像消去領域が好ましい。
【０１１４】
図７（Ｄ）は、図６の第１部分書き込み工程Ｓ２０（Ｓ２ループ２回目）に対応する。第１部分書き換え工程Ｓ２が繰り返し行われて、表示部５には画像Ｐ１１が書き込まれた場合も画素４０Ａ、画素４０Ｂの動作は図７（Ａ）と同様である。
【０１１５】
１．３．３．第２全面書き換え工程
前記の構成の電気泳動表示装置１００によって、第２全面書き換え工程Ｓ５が実施される場合の表示部５の表示例などを、図９（Ａ）、図９（Ｂ）、図９（Ｅ）、図９（Ｆ）を用いて説明する。
【０１１６】
まず、第２全面書き換え工程Ｓ５では、全ての画素が駆動対象である全面駆動が行われ、斜め方向には電界が生じにくく、輪郭部分の残像（図７（Ｂ）参照）の問題もない。
【０１１７】
また、全面駆動を行う工程では、図９（Ａ）のような反転表示をした後に、図９（Ｂ）のように正転表示をすることでＤＣバランスをとることができる。本実施形態においては、第２全面書き換え工程Ｓ５において、第２反転表示工程Ｓ５０が行われることによりＤＣバランスは保たれている。
【０１１８】
ここで、第２全面書き換え工程Ｓ５のサブルーチンＳ５０、Ｓ５２における表示部５の表示例を図９（Ｅ）〜図９（Ｆ）に示す。図９（Ｅ）〜図９（Ｆ）では表示部５のうち部分駆動が行われ得る６画素×６画素の領域を抜き出して表示している。また、図９（Ｅ）〜図９（Ｆ）の右図は、それぞれ左図のＹ−Ｙ線に沿った断面図である。
【０１１９】
図９（Ｅ）は、第２反転表示工程Ｓ５０の表示例である。そして、図９（Ｆ）は、第２正転表示工程Ｓ５２の表示例である。領域内の全ての画素には、続いて行われる第２部分書き込み工程Ｓ６０の背景色である黒色が表示されている。
【０１２０】
１．３．４．第２部分書き換え工程
電気泳動表示装置１００によって、第２部分書き換え工程Ｓ６が実施される場合の表示部５の表示例などを以下に説明する。
【０１２１】
図１０は、本実施形態における第２部分書き換え時の波形図を示す。図１０の記号等については、図６と同様であり説明を省略する。また、図１０のループ回数についても図６と同様である。
【０１２２】
図１０の対応工程がＳ６０（Ｓ６ループ１回目）と示された区間は、第２部分書き込み工程Ｓ６０を行っている。Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは白色で表示される。一方、同じ区間において、Ｖｂはハイインピーダンス状態であり、画素４０Ｂ背景色である黒色の表示を保つ。なお、図１０の対応工程がＳ６０（Ｓ６ループ２回目）と示された区間の動作も同様である。
【０１２３】
図１０の対応工程がＳ６２と示された区間は、第２部分消去工程Ｓ６２を行っている。Ｖａの電位はＶＨであるため、ＶｃｏｍがＶＬのときに画素４０Ａを構成する電気泳動素子３２において、正に帯電した黒色粒子２６が共通電極３７側に引き寄せられる。そして、画素４０Ａは黒色で表示される。一方、同じ区間において、Ｖｂはハイインピーダンス状態であり、画素４０Ｂは背景色である黒色の表示を保つ。
【０１２４】
このとき、画素４０Ａを含めて、第２部分書き込み工程Ｓ６０において白色で表示された画素は、第２部分消去工程Ｓ６２において黒色で表示される。すなわち、第２部分消去工程Ｓ６２によって、その前に行われた第２部分書き込み工程Ｓ６０とＤＣバランスをとることができる（ｂａｌａｎｃｅｄ）。
【０１２５】
図１０の対応工程がＳ６４と示された区間は、第２残像消去工程Ｓ６４を行っている。Ｖａの電位はＶＨであるため、ＶｃｏｍがＶＬのときに画素４０Ａを構成する電気泳動素子３２において、正に帯電した黒色粒子２６が共通電極３７側に引き寄せられる。そして、画素４０Ａは黒色で表示される。また、Ｖｂの電位もＶＨであるため、隣接する画素４０Ｂについても黒色での表示が行われる。この区間の操作は、図６のＳ２４と示された区間において白色で表示された残像消去領域を、黒色で表示するものであり、図６の残像消去工程Ｓ２４とＤＣバランスがとられる。
【０１２６】
図１１（Ａ）〜図１１（Ｄ）は、図１０に対応する表示部５の表示例（左図）と、表示部５のうち画素４０Ａ、画素４０Ｂについての断面図（右図）を示すものである。なお、図１１（Ａ）〜図１１（Ｄ）の表示方法については、図７と同様であるので説明を省略する。
【０１２７】
図１１（Ａ）は、図１０の第２部分書き込み工程Ｓ６０（Ｓ６ループ１回目）に対応する。表示部５には画像Ｐ１が書き込まれ、画素電極３５Ａ（Ｖａ）の電位はＶＬであり、画素４０Ａは白色で表示される。一方、画素電極３５Ｂ（Ｖｂ）はハイインピーダンス状態であり、画素４０Ｂは背景色である黒色の表示を保つ。
【０１２８】
図１１（Ｂ）は、図１０の第２部分消去工程Ｓ６２（Ｓ６ループ１回目）に対応する。第２部分書き込み工程Ｓ６０で書き込まれた画像Ｐ１を形成する画素は黒色で表示される。画素電極３５Ａ（Ｖａ）の電位はＶＨであり、画素４０Ａは黒色となる。このとき、輪郭形成画素とそれに隣接するハイインピーダンス状態（Ｈｉ−Ｚ）の背景境界画素との間で斜め方向の電界が生じ、画像Ｐ１の輪郭に沿った残像Ｐ２が発生する。この例では、黒色を背景として、輪郭に沿って薄い白色の残像Ｐ２が視認される。そのため、次の第２残像消去工程Ｓ６４が必要になる。なお、図１１（Ｂ）では表記の都合上、黒線にてＰ２を示している。
【０１２９】
図１１（Ｃ）は、図１０の第２残像消去工程Ｓ６４（Ｓ６ループ１回目）に対応する。画素４０Ａ、画素４０Ｂの画素電極３５Ａ（Ｖａ）、３５Ｂ（Ｖｂ）の電位はＶＨであり、負に帯電した黒色粒子２７が共通電極３７側に引き寄せられる方向の電界が印加されている。このように、第２残像消去工程Ｓ６４では、輪郭の残像Ｐ２を消去するために残像消去領域を背景色と同じ黒色で表示している。背景色と同一の黒色での表示であるため、ユーザーにこの動作が視認されることはない。
【０１３０】
ここで、この残像消去領域は、図６の第１残像消去工程Ｓ２４（Ｓ２ループ１回目）と同じ残像消去領域Ｒ２（図８（Ａ）参照）である。本工程においては、残像消去領域Ｒ２を黒色で表示する操作、すなわち逆方向の電界を印加する操作を行っているため、図６の残像消去工程Ｓ２４とＤＣバランスがとられる。
【０１３１】
図１１（Ｄ）は、図１０の第２部分書き込み工程Ｓ６０（Ｓ６ループ２回目）に対応する。第２部分書き換え工程Ｓ６が繰り返し行われて、表示部５には画像Ｐ１１が書き込まれた場合も画素４０Ａ、画素４０Ｂの動作は図１１（Ａ）と同様である。
【０１３２】
以上のように、本実施形態の電気泳動表示装置１００は、図４、図５（Ａ）〜図５（Ｄ）のフローチャートで示される電気泳動表示装置の駆動方法により、ＤＣバランスをとりつつ画像の輪郭に沿った残像を消去することが可能である。このとき、ＤＣバランスをとるためだけの補正用の工程を設けることなく、通常表示（第１全面書き換え工程Ｓ１、第１部分書き換え工程Ｓ２）に続けて反転表示（第２全面書き換え工程Ｓ５、第２部分書き換え工程Ｓ６）を行うだけでＤＣバランスをとることができる。ＤＣバランスをとることで長期信頼性に優れた電気泳動表示装置を提供できる。
【０１３３】
２．電子機器
本発明の第２実施形態について図１２〜図１３を参照して説明する。なお、第１実施形態と同様の構成については、同一符号を付して説明を省略し、相違する部分について説明する。
【０１３４】
前記の電気泳動表示装置１００は、様々な電子機器に適用され得る。
【０１３５】
例えば、図１２（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は時刻表示を含む表示１００５を行っている。時計ケースの側面には、２つの操作ボタン１０１１と１０１２とが設けられている。なお、操作ボタン１０１１、１０１２によって、表示１００５として時刻、カレンダー、アラームなど様々な表示形態が選択されてもよい。
【０１３６】
また、例えば図１２（Ｂ）は電子機器の１つである電子ペーパー１１００の斜視図である。電子ペーパー１１００は可撓性を有し、電気泳動表示装置１００からなる表示領域１１０１と本体１１０２を備える。
【０１３７】
電気泳動表示装置１００を含む電子機器は、残像がないために電気泳動表示装置の視認性が向上し、ＤＣバランスがとられているために電気泳動表示装置の長期信頼性を得る。
【０１３８】
２．１．電子時計
ここで、第２実施形態として、腕時計１０００を含む電子時計の実施形態を説明する。
【０１３９】
図１３（Ａ）〜図１３（Ｐ）は本実施形態に係る電子時計の表示部５の表示例を示す。図１３（Ａ）〜図１３（Ｐ）では表示部５のうち時刻表示部分のみを抜き出している。また、領域５１は部分駆動が行われ得る領域を示す。図１３（Ａ）〜図１３（Ｐ）に示す実施例では領域５１は時刻表示の分桁の一桁目に対応するが、例えば分桁の十桁目も含めて領域５１としてもよいし、時刻表示全体を領域５１としてもよい。
【０１４０】
図１３（Ａ）〜図１３（Ｐ）の領域５１の拡大図（右図）において、灰色で示す部分は部分駆動の対象でない画素を示す。すなわち、領域５１の拡大図で黒色又は白色で表示された画素が部分駆動される。なお、図１３（Ａ）〜図１３（Ｐ）に付された工程番号は図４、図５（Ａ）〜図５（Ｄ）のフローチャートの工程番号に対応する。
【０１４１】
図１３（Ａ）は、第１反転表示工程Ｓ１０が行われ、全面駆動により表示部５の全面で反転表示が行われている。続く図１３（Ｂ）とＤＣバランスをとるためである。
【０１４２】
図１３（Ｂ）は、第１正転表示工程Ｓ１２が行われ、全面駆動により領域５１が白色で表示されている。白色は続く部分駆動による表示（図１３（Ｃ）〜図１３（Ｈ））の背景色である。
【０１４３】
図１３（Ｃ）は、時刻が１２：００であることを示している。第１部分書き込み工程Ｓ２０が行われ、領域５１に黒色で分一桁として０が表示される。
【０１４４】
図１３（Ｄ）は、時刻が１２：００から１２：０１に変化する前に、第１部分消去工程Ｓ２２が行われ、領域５１に黒色で表示されていた０が消去されることを示す。
【０１４５】
図１３（Ｅ）は、第１残像消去工程Ｓ２４が行われ、領域５１に黒色で表示されていた０の輪郭部分の残像が消去されることを示す。このとき、残像消去領域（図１３（Ｅ）右図の白色で表示された領域）の情報を記憶する領域記憶処理が行われ、例えば記憶部１６０（図１参照）に情報が記憶されるものとする。
【０１４６】
その後、分桁の一桁目が１、２、３、…と変化し、９になるまで図１３（Ｃ）〜図１３（Ｅ）と同じ工程が繰り返される。このことは、図４のＳ３において所与の回数として１０回第１部分書き換え工程Ｓ２を繰り返すことに対応する。この間、１、２、３、…、９のそれぞれの残像消去領域が記憶部１６０に記憶されるものとする。なお、図１３（Ｆ）〜図１３（Ｈ）は、それぞれ図１３（Ｃ）〜図１３（Ｅ）で分桁の一桁目が９になった場合であるので説明は省略する。
【０１４７】
図１３（Ｉ）は、第２反転表示工程Ｓ５０が行われ、全面駆動により表示部５の全面で反転表示が行われている。続く図１３（Ｊ）とＤＣバランスをとるためである。なお、１０分経過したために、分桁の十桁目は０から１に変化する。
【０１４８】
図１３（Ｊ）は、第２正転表示工程Ｓ５２が行われ、全面駆動により領域５１が黒色で表示されている。黒色は続く部分駆動による表示（図１３（Ｋ）〜図１３（Ｐ））の背景色である。黒色を背景色として、時刻表示や区切り（：）は白色の文字で表示される。
【０１４９】
図１３（Ｋ）は、時刻が１２：１０であることを示している。第２部分書き込み工程Ｓ６０が行われ、領域５１に白色で分一桁として０が表示される。
【０１５０】
図１３（Ｌ）は、時刻が１２：１０から１２：１１に変化する前に、第２部分消去工程Ｓ６２が行われ、領域５１に白色で表示されていた０が消去されることを示す。
【０１５１】
図１３（Ｍ）は、第２残像消去工程Ｓ６４が行われ、領域５１に白色で表示されていた０の輪郭部分の残像が消去されることを示す。このとき、残像消去領域（図１３（Ｍ）右図の黒色で表示された領域）は例えば記憶部１６０（図１参照）からの残像消去領域の情報に基づいて特定される。そのため、第１部分書き換え工程（図１３（Ｃ）〜図１３（Ｈ））と第２部分書き換え工程（図１３（Ｋ）〜図１３（Ｐ））との残像消去領域を正確に一致させて、ＤＣバランスをとることができる。
【０１５２】
その後、分桁の一桁目が１、２、３、…と変化し、９になるまで図１３（Ｋ）〜図１３（Ｍ）と同じ工程が繰り返される。このことは、図４のＳ７において所与の回数として１０回第２部分書き換え工程Ｓ６を繰り返すことに対応する。なお、図１３（Ｎ）〜図１３（Ｐ）は、それぞれ図１３（Ｋ）〜図１３（Ｍ）で分桁の一桁目が９になった場合であるので説明は省略する。
【０１５３】
以上のように、本実施形態の電子時計は、ＤＣバランスをとるためだけの補正用の工程を設けることなく、通常表示（図１３（Ｃ）〜図１３（Ｈ））に続けて反転表示（図１３（Ｋ）〜図１３（Ｐ））を行うだけでＤＣバランスをとることができ、長期信頼性の高い電子時計を提供できる。なお、本実施形態では、図１３（Ｐ）の処理の後、分桁の十桁目が２に変化して、第１反転表示工程Ｓ１０（図１３（Ａ））に戻り、上記に説明した工程を繰り返す。
【０１５４】
図１３（Ａ）〜図１３（Ｐ）の電子時計の例では、１０分毎に白色の背景と黒色の背景が入れ替わっているが、例えば１２時間毎に背景が入れ替わってもよい。言い換えると、第１全面書き換え制御（図１３（Ａ）、図１３（Ｂ））と前記第２全面書き換え制御（図１３（Ｉ）、図１３（Ｊ））を１２時間の間隔を空けて行ってもよい。全面を書き換える必要のある第１又は第２全面書き換え制御の回数を減らすことは、例えば制御部（図１参照）にとって処理の効率がよい。
【０１５５】
例えば、午前６時〜午後５時５９分（日中）は背景を白色とする表示を行い、午後６時〜午前５時５９分（夜間）は背景を黒色とする表示を行うことも可能である。このとき、環境の明るさに応じた背景色が選択されるため、背景色が変化してもユーザーに違和感を与えない効果がある。なお、背景の変更を行う時間は、１２時間に限らず、６時間、４時間、２時間、１時間などであってもよい。
【０１５６】
なお、図１３（Ａ）〜図１３（Ｐ）の表示例においては、図１３（Ａ）と図１３（Ｂ）、図１３（Ｃ）と図１３（Ｄ）、図１３（Ｆ）と図１３（Ｇ）、図１３（Ｉ）と図１３（Ｊ）、図１３（Ｋ）と図１３（Ｌ）、図１３（Ｎ）と図１３（Ｏ）、図１３（Ｅ）と図１３（Ｍ）、図１３（Ｈ）と図１３（Ｐ）のペアでそれぞれＤＣバランスがとられている。
【０１５７】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１５８】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１５９】
さらに、前記の実施形態の電子時計は、腕時計に限らず、置き時計、掛け時計、懐中時計などの時計機能を有する機器に広く適用できる。
【０１６０】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１６１】
５…表示部、６…制御部、２０…マイクロカプセル、２６…黒色粒子、２７…白色粒子、３０…素子基板、３１…対向基板、３２…電気泳動素子、３５…画素電極、３５Ａ…画素電極、３５Ｂ…画素電極、３７…共通電極、４０…画素、４０Ａ…画素、４０Ｂ…画素、４０Ｖ…画素、４０Ｗ…画素、４０Ｘ…画素、４０Ｙ…画素、４１…駆動用ＴＦＴ（Thin Film Transistor）、４９…低電位電源線（Ｖｓｓ）、５０…高電位電源線（Ｖｄｄ）、５１…領域、５５…共通電極配線（Ｖｃｏｍ）、６１…走査線駆動回路、６２…データ線駆動回路、６３…コントローラー、６４…共通電源変調回路、６６…走査線、６８…データ線、７０…ラッチ回路、８０…スイッチ回路、９１…第１の制御線（Ｓ１）、９２…第２の制御線（Ｓ２）、１００…電気泳動表示装置、１６０…記憶部、１０００…腕時計、１００２…時計ケース、１００３…バンド、１００４…表示部、１００５…表示、１０１１…操作ボタン、１０１２…操作ボタン、１１００…電子ペーパー、１１０１…表示領域、１１０２…本体、Ｐ１…画像（視覚表現形成画素）、Ｐ２…残像、Ｐ１１…画像、Ｒ２…残像消去領域、Ｒ３…輪郭形成画素、Ｒ４…背景境界画素、Ｓ１…第１全面書き換え工程、Ｓ２…第１部分書き換え工程、Ｓ５…第２全面書き換え工程、Ｓ６…第２部分書き換え工程、Ｓ１０…第１反転表示工程、Ｓ１２…第１正転表示工程、Ｓ２０…第１部分書き込み工程、Ｓ２２…第１部分消去工程、Ｓ２４…第１残像消去工程、Ｓ５０…第２反転表示工程、Ｓ５２…第２正転表示工程、Ｓ６０…第２部分書き込み工程、Ｓ６２…第２部分消去工程、Ｓ６４…第２残像消去工程
【図１】
2011186147.tif 000003
【図２】
2011186147.tif 000004
【図３】
2011186147.tif 000005
【図４】
2011186147.tif 000006
【図５】
2011186147.tif 000007
【図６】
2011186147.tif 000008
【図７】
2011186147.tif 000009
【図８】
2011186147.tif 000010
【図９】
2011186147.tif 000011
【図１０】
2011186147.tif 000012
【図１１】
2011186147.tif 000013
【図１２】
2011186147.tif 000014
【図１３】
2011186147.tif 000015